(57)【特許請求の範囲】
【請求項１】
賞品球タンクに貯留の賞品球を払出す賞品球払出装置を備えるパチンコ機であって、
賞品球タンクの底部に賞品球払出装置を設置し、
前記賞品球払出装置には、球入口部からの賞品球を受け入れる複数の保持孔を形成の回転可能な回転体を備えると共に、前記回転体の保持孔の移動軌跡と対応する位置に賞品球の払出口を形成し、
前記回転体上にあり且つ前記保持孔に保持される賞品球以外の賞品球を払出口に導くことを禁止する払出禁止部材を設け、
前記回転体に２以上の異なる円周上に保持孔を形成すると共に、前記保持孔と対応する各払出口を、賞品球の同時払出を回避する位置に形成することを特徴とするパチンコ機。
【請求項２】
回転体を正逆回転可能とすることを特徴とする請求項１のパチンコ機。
【請求項３】
賞品球の回収通路に連通する球抜口を保持孔の移動軌跡と対応する位置に形成すると共に、前記保持孔に保持される賞品球以外の回転体上の賞品球を球抜口に導くことを禁止する球抜禁止部材を設けることを特徴とする請求項２のパチンコ機。
【発明の詳細な説明】
【０００１】
【産業上の利用分野】
本発明は、賞品球を払出すための賞品球払出装置を備えるパチンコ機に関する。
【０００２】
【従来の技術】
従来のパチンコ機の一例として、特開平６ー７５１４号公報に開示されているように、パチンコ機の裏面側上部に取り付けた賞品球タンクの下部には賞品球払出装置が設置されており、賞品球タンクと賞品球払出装置との間に賞品球を整列する整列通路が傾斜して配置されている。
このため、賞品球タンクに貯留された賞品球は整列通路を流下する過程で整列され、次いで、賞品球払出装置で計数払出された後、排出通路を経て上皿に排出される。
【０００３】
【発明が解決しようとする課題】
前記従来のパチンコ機においては、賞品球を整列するために、賞品球タンクの下部に傾斜した整列通路を設ける必要があり、設備コストの増大を招いていた。
又、長期間の使用により摩耗して球径が小さくなった賞品球が混入していると、整列通路内で賞品球がブリッジを形成して、賞品球を円滑に払出できない事態を招くこともあった。
更に、従来の賞品球払出装置では、大当り時のように短時間に多量の賞品球を払い出す必要がある場合に、賞品球の払出が間に合わなくなり、このため、大当りが終了した後も、遅れて賞品球の払出が行われ、遊技者に違和感を与える等の不具合もあった。
そこで、本発明は係る不具合を解消する手段を提供するものである。
【０００４】
【課題を解決するための手段】
請求項１の賞品球払出装置を備えるパチンコ機は、球入口部からの賞品球を受け入れる複数の保持孔を形成の回転可能な回転体を備え、前記回転体の保持孔の移動軌跡と対応する位置に賞品球の払出口を形成し、前記回転体上にあり且つ保持孔に保持する賞品球以外の賞品球を払出口に導くことを禁止する払出禁止部材を設けてある。又、このパチンコ機は、保持孔を回転体に２以上の異なる円周上に形成すると共に、前記保持孔と対応する各払出口を、賞品球の同時払出を回避する位置に形成してある。
又、請求項２の賞品球払出装置を備えるパチンコ機は、回転体を正逆回転可能にしたものである。
請求項３の賞品球払出装置を備えるパチンコ機は、賞品球の回収通路に連通する球抜口を保持孔の移動軌跡と対応位置に形成すると共に、保持孔に落ち込んだ賞品球以外の回転体上の賞品球を球抜口に導くことを禁止する球抜禁止部材を設けるものである。
【０００５】
【作用】
請求項１の賞品球払出装置を備えるパチンコ機は、球入口部からの賞品球の一部は回転体の各保持孔で保持されている一方、払出禁止部材によって払出口からの排出を阻止している。そして、賞品球払出装置の作動時において、賞品球は保持孔に保持された状態で回転体の回転作動に伴って回転移動して、回転体の保持孔が払出口と合致する位置に到達したとき、その賞品球は払出口から払出されるが、それ以外の賞品球は払出禁止部材によって排出が阻止される。又、このパチンコ機は、異なる２以上の円周上に形成したそれぞれの保持孔に賞品球を保持させて、各払出口から順次払出すことができるため、賞品球の払出を迅速にできると共に、奇数個の排出も可能となる。
又、請求項２の賞品球払出装置を備えるパチンコ機は、賞品球がブリッジ形成した場合には、回転体を交互に正回転及び逆回転させることで、賞品球払出装置内の賞品球に揺動を与えてブリッジ形成を崩すことができる。
請求項３の賞品球払出装置を備えるパチンコ機は、球入口部からの賞品球の一部は回転体の各保持孔に保持されている一方、球抜禁止部材によって球抜口からの排出を阻止している。そして、回転体を逆回転させると、賞品球は保持孔に保持された状態で回転体の回転作動に伴って回転移動して、回転体の保持孔が球抜口と合致すると、その賞品球は球抜口から払出されて回収されるが、それ以外の賞品球は球抜禁止部材によって排出が阻止される。
【０００６】
【実施例】
（第１実施例）
本発明の第１実施例を図面を参照して説明する。図１はパチンコ機の正面図、図２はパチンコ機の裏面図であり、パチンコ機の正面に形成の遊技盤１０１には、複数の入賞口１０２が設けられており、発射ハンドル１０３を作動して発射された遊技球がこの入賞口１０２の何れかに入賞すると図示しない入賞球検出器で検出される。尚、１３３は上皿、１３４は下皿、１６２は後述する回収用の球抜スイッチ用の作動孔である。
一方、パチンコ機の裏面の機枠１１０の上部には、賞品球を貯留する賞品球タンク１２０が取着されていて、この賞品球タンク１２０の底部に賞品球を計数排出する賞品球払出装置１が配設されている。賞品球払出装置１の下方には、誘導路１３０に連なる排出通路１３１が賞品球の流下圧力を低減するために蛇行して形成されており、排出口１３２を経て上皿１３３、更には下皿１３４へ連通されている。
【０００７】
又、裏面にはパチンコ機を制御するメイン制御装置１４１、賞品球払出装置１を制御する払出制御装置１４２及び中継基板１４３が設置されていて、メイン制御装置１４１と中継基板１４３、及びメイン制御装置１４１と払出制御装置１４２は、それぞれ接続の簡便の為に、よく知られているコネクタ結合方式、或はボードとボードの結合方式によって接続される。
尚、１５１は入賞口１０２に入賞した入賞球を計数排出する入賞球排出装置、１５２は下皿１３４内の賞品球が所定レベル以上溜ったときに、これを検出するリミットスイッチ形式の充満検出器である。
【０００８】
次に、賞品球タンク１２０の底部に配設される前記賞品球払出装置１について説明する。図３は賞品球払出装置の分解斜視図、図４は正面断面図、図５は平面図である。
賞品球払出装置１は、底板１０と、円形状の受口体２０とが、コーナに垂設のビス穴２にビス３で固定することによって組み立てられていて、前記底板１０と受口体２０の間に回転体３０が設置される構成になっている。そして、底板１０、回転体３０、及び受口体２０に横設の区切枠２２の、各中心位置に形成の軸穴４に軸棒５が貫入されていて、回転体３０が軸棒５を中心に回転可能になっている。尚、この回転体３０の回転を円滑にするため、ベアリング軸受を使用することが望ましい。又、前記区切枠２２の底部２２ａは、回転体３０に形成の保持孔３５に落ち込んだ賞品球を通過可能とし、その他の回転体３０上の賞品球の通過を不可とする高さに形成し、その区切枠２２と前記傾斜板１２１とで払出禁止部材２３及び球抜禁止部材２４を構成する。
賞品球タンク１２０の傾斜板１２１は、底板１２１ａに対して少し傾斜状に形成して賞品球をできるだけ多く停留可能になっていると共に、前記受口体２０に向かって傾斜形成してあり、区切枠２２を介して形成の半円形の球入口部２１に賞品球を流出する。尚、受口体２０の球入口部２１の反対側の半円形面は、前記傾斜板１２１の延設によって閉鎖してある。
【０００９】
前記回転体３０には、その周縁部に伝達ギヤ３１が形成されている一方、底板１０の一端部に垂設の側枠１１には正逆回転可能なパルスモータ等の駆動源３２が取り付けてあり、このパルスモータ３２のモータ軸３３に前記伝達ギヤ３１と直角方向に噛み合う駆動ギヤ３４が装着されている。このため、回転体３０はその伝達ギヤ３１と噛み合う駆動ギヤ３４の回転に伴って回転作動される。
又、回転体３０には所定の半径周上に保持孔３５が一定間隔で６個形成してあり、これら各保持孔３５は賞品球Ｙの径よりも、少し大きく形成されていて１個の賞品球が通過可能になっている。
【００１０】
回転体３０の下部に設けた前記底板１０には、回転体の保持孔３５の移動軌跡と対応位置に賞品球の払出口１２が形成されており、この払出口１２は排出通路１３０に連通される。又、底板１０には、賞品球を載置支持すると共に、滑めらかに移動可能とするため、保持孔３５と対向しながら払出口１２に向かって漸次低く傾斜するガイドレール１３が突設されている。又、保持孔３５内の賞品球を払出口１２から確実に排出可能とするため、払出口１２の通過位置で、底板１０に停止体１９が突設してある。
更に、前記保持孔３５に対して、回転体３０の反時計方向側に隣接し、回転体の保持孔３５の移動軌跡と対応位置に球抜口１５が形成してあると共に、その球抜口１５方向に傾斜するガイドレール１３ａが突設してある。尚、回転体３０に形成の保持孔３５に落ち込んだ賞品球だけを排出可能とするため、区切枠２２と前記傾斜板１２１とで球抜禁止部材を構成する。又、前記球抜口１５は回収通路１６０に連通していて、この回収通路１６０に近接スイッチ形式等の回収球検出器１６１が設けられている。尚、該回収始動に際して、針金等で操作する球抜スイッチ用の作動孔１６２がパチンコ機の前面に設けられている（図１）。
又、払出口１２には、賞品球の排出確認と計数を兼ねて、光電管式や近接スイッチ形式等の払出球検出器１４が備えてあり、本例では、図６の背面図に示すように、発光素子及び受光素子よりなる光センサ式の払出球検出器１４が装着されている。そして、この払出球検出器１４の検出信号によって、払出口１２から払出された賞品球数が計数される。
【００１１】
次に、前記構成の賞品球払出装置１の作用について説明すると、先ず、該賞品球払出装置１が作動していない場合には、図４に示すように、賞品球タンク１２０内に貯留されている賞品球Ｙの一部は受口体２０の球入口部２１より回転体３０の各保持孔３５に落ち込んだ状態で保持されている。
そこで、遊技盤１０１に設置の入賞口１０２に遊技球が入賞すると、賞品球払出装置１により所定個数、例えば、７個の賞品球の払出が行われる。即ち、遊技球の入賞を検出した入賞球検出器からの信号により、払出制御装置１４２からパルスモータ３２にパルス信号が送られ、パルスモータ３２を介して回転体３０が図５の反時計方向に回転を始めると、各保持孔３５に保持された賞品球Ｙは、回転体３０の回転に伴って回転移動して、前記保持孔３５に保持された賞品球Ｙが払出口１２に到達すると、次々と誘導路１３０を経て排出通路１３１へと払出されるが、それ以外の回転体３０上の遊技球は区切枠２２で搬送を阻止される。
そして、払出口１２から払出された賞品球Ｙは、払出球検出器１４で検出、計数され、所定個数（７個）の払出しを検出した時点でパルスモータ３２へのパルス送信を停止し、これに伴って回転体３０が作動停止する。尚、前記払出口１２から払出して空となった保持孔３５には、回転体３０の回転に伴って受口体２０の球入口部２１に臨んだときに賞品球Ｙが次々と補充される。
【００１２】
次に、パチンコ機を設置島より取り外す場合等には、賞品球タンク１２０内から賞品球を回収する必要がある。
そこで、賞品球タンク１２０を空にする場合には、球抜スイッチ作動用の孔１６２から針金等を挿入し、図示しない球抜スイッチを「ＯＮ」にすると、払出制御装置１４２からの指令によりパルスモータ３２を介して回転体３０が、図５に示す、時計方向へ回転する。保持孔３５に保持された賞品球は、区切枠２２で保持孔３５に落ち込んだ賞品球だけを通過可能とし、球抜口１５と合致する位置に到達したときに、ここから次々と流出し、回収通路１６０を経て回収される。そして、回収球検出器１６１で賞品球を検出しなくなった時点から、所定時間経過後にパルスモータ３２を停止制御して回転体３０の作動を停止させる。この様に回転体３０を時計方向へ回転することで、賞品球タンク１２０内の賞品球を球抜口１５から簡便に回収することができる。
以上のように、保持孔３５に賞品球を保持して払出す賞品球払出装置１を賞品球タンク１２０の底部に配設したので、従来のように賞品球を整列する必要がなくなり、整列通路は不要になって、遊技板の裏面の拡大を図ることができる。
【００１３】
次に、賞品球払出装置１内で賞品球がブリッジを形成した場合には次のようにして対処することができる。即ち、回転体３０の回転作動によっても、払出球検出器１４が払出口１２からの賞品球の払出を検出しない場合には、ブリッジ形成と判断し、払出制御装置１４２からの指令により、パルスモータ３２を介して回転体３０を予め定めた回数、交互に図５の反時計方向へ回転及び時計方向へ回転動作させる。
この結果、回転体３０が交互に正回転及び逆回転して、保持孔３５に保持された賞品球の移動によって賞品球払出装置１内の賞品球に揺動を与えることができるので、ブリッジ形成を崩すことができる。
一方、回転体３０が所定回数動作しても、払出球検出器１４が払出口１２からの払出を検出しない場合には、ブリッジ形成を解消できないと判断して、警報ランプの点滅、警報音の発生等の報知手段によってその旨を報知させたり、或は遊技場の管理室に知らせる。
【００１４】
図７は、払出禁止部材及び球抜禁止部材の他の例を示す斜視図と断面図で、球入口部２１を受口体２０の全面として、底板１２１ａとその底板１２１ａに対して少し傾斜状に延設の傾斜板１２１とから賞品球を受入れ可能とし、払出口１２と球抜口１５の双方の上に払出禁止部材及び球抜禁止部材として払出遮断部材２３’を横設する方式であり、この払出遮断部材２３’によって、保持孔３５に保持された賞品球Ｙだけが払出口１２と球抜口１５に到り、回転体３０上の他の賞品球は排出不能となる。尚、前記払出遮断部材２３’は、その上に賞品球の停留を避けるために、軸穴４に向かって、傾斜状に取り付けることが望ましい。
又、図８も図７と同様に、球入口部２１を受口体２０の全面とする他の払出禁止部材及び球抜禁止部材を示す斜視図と断面図で、払出口１２と球抜口１５の直上に、図示略の支持部から垂設の棒状の払出禁止部材２３及び球抜禁止部材２４を各々別途に設けるものであって、保持孔３５に保持された賞品球Ｙだけを払出口１２と球抜口１５から、排出可能とするものである。  この様に、払出禁止部材２３及び球抜禁止部材２４を各払出口１２と球抜口１５の直上に、保持孔３５に保持された賞品球Ｙだけを払出口１２と球抜口１５から排出可能に形成すればよいが、保持孔３５に保持された賞品球Ｙの搬送過程に於ける他の賞品球との摩擦抵抗を考慮すれば、図７、図８に示す構成より、図３に示す球入口部２１と払出口１２（球抜口１５）とを区切枠２２等を介して区画形成することが好ましい。尚、前記傾斜板１２１は底板１２１ａと同じ傾斜で、共に、前記入口部２１に向かって形成してもよい。
又、前記払出口１２及び球抜口１５は、保持孔３５の移動軌跡の下側に設けて、賞品球の重力落下によって円滑な排出を行うように構成してあるが、受口体２０の側部に設けて、横方向に排出可能に形成することであってもよい。
【００１５】
（第２実施例）
次に、他の例の賞品球払出装置を、図９の平面図、及び図１０の背面図により説明する。尚、賞品球払出装置の構成及び作用は、図４〜図６とほぼ同じであり、同一部材には同じ符号を付して異なる点のみ説明する。
回転体３０には賞品球の払出速度を増加するために、保持孔が２以上の異なる半径円周上に、本例では、外側保持孔３５ａ及び内側保持孔３５ｂがそれぞれ６個づつ一定間隔で形成されている。
また、底板１０には、外側保持孔３５ａの移動軌跡と対応位置に外側払出口１２ａが、及び内側保持孔３５ｂの移動軌跡と対応位置に内側払出口１２ｂがそれぞれ形成されている。そして、この外側払出口１２ａと内側払出口１２ｂは、各保持孔３５ａ、３５ｂからの同時払出を回避する位置に、例えば、交互に払出可能とする位置にズラして形成される。
【００１６】
更に、本例では、払出球検出器１４を第１実施例とは異なる位置である、保持孔３５ａ、３５ｂに保持された賞品球の存在を確認検出するため、各払出口１２ａ、１２ｂの直前に、スイッチ形式のメカスイッチ（賞品球の重みで検出棒が上下動するスイッチ形式）や反射式光電管形式、近接スイッチ等の払出球検出器１４をそれぞれ装着する。尚、本例では、メカスイッチを採用し、１４ａはメカスイッチの検出棒であり、この検出棒１４ａが出没可能な検出孔１４ｂを回転体３０に穿設している。又、賞品球が直接、保持孔３５ａ、３５ｂを経て払出口１２ａ、１２ｂから流出するのを禁止するため、払出禁止部材２３を回転体３０の上側に、図９に示す、下側方向に低く傾斜して取り付けて、払出口１２ａ、１２ｂを遮蔽していて、賞品球の滞留を防いでいる。
又、図９に示す底板１０には、前記払出口１２ａ、１２ｂの反時計側に、複数個の賞品球が同時に通過可能な大きさの扇形の球抜口１５が穿設してあると共に、賞品球が直接、保持孔３５ａ、３５ｂを経て球抜口１５から流出するのを禁止するため、球抜禁止部材２４が、下側方向に低く傾斜して回転体３０の上側に取り付けてあって、賞品球の滞留を防止している。
【００１７】
遊技球が入賞口１０２に入賞すると、払出制御装置１４２からパルスモータ３２に信号が送られて、パルスモータ３２を介して回転体３０が、図９の反時計方向へ回転を始め、各保持孔３５ａ、３５ｂに保持された賞品球Ｙは、回転体３０の回転作動に伴って回転移動し、それぞれ払出口１２ａ、１２ｂから交互に払出されるが、一方、回転体３０上の他の賞品球は払出禁止部材２３によって排出が禁止される。
そして、各払出口１２ａ、１２ｂの直前に装着された払出球検出器１４の一方が所定個数（例えば、７個目）の賞品球数を検出、計数した時点で、該７個目の賞品球が対応する払出口１２ａ、１２ｂから払出可能なパルス数を払出制御装置１４２を介してパルスモータ３２に送ると、回転体３０は所定角度だけ回転移動して、７個目の賞品球が払出されてた後、回転体３０を作動停止する。
この様に、払出数の計数方式を前記実施例１とは異なる方式でも、所定個数の賞品球の払出を行うことができる。
以上のように、本例の賞品球排出装置１は、回転体３０に保持孔３５ａ、３５ｂを２以上の異なる半径円周上に形成してあるので、賞品球の払出を迅速に行うことが可能となり遊技者に違和感を与えることはなくなるし、交互に排出を行うことが出来るため、奇数個の賞品球排出にも対応することができる。
【００１８】
又、賞品球タンク１２０内から賞品球を回収する場合には、実施例１と同様に、球抜スイッチ作動用の孔１６２から針金等を挿入し、図示しない球抜スイッチを「ＯＮ」にして、パルスモータ３２を介して回転体３０を図９の時計方向へ回転させると、保持孔３５ａ、３５ｂに保持された賞品球だけが、球抜禁止部材２４によって通過可能となって、球抜口１５と合致する位置に到達したときに、ここから次々と流出し、回収通路１６０を経て回収され、回収球検出器１６１を介してパルスモータ３２を停止して回転体３０の作動を停止する。尚、前記球抜口１５が複数個の賞品球が同時に通過可能な大きさの扇形としているため、球抜き処理が迅速に行うことができる。
また、本発明の賞品球払出装置は、前記の賞品球タンク１２０内の賞品球の排出ばかりでなく、入賞口１０２に入賞した入賞球を計数排出する入賞球排出装置１５１に適用できることはいうまでもない。
【００１９】
【発明の効果】
請求項１の発明によれば、回転体に形成の保持孔に賞品球を保持して払出す賞品球払出装置を賞品球タンクの底部に設置したことによって、賞品球を整列させる整列通路は不要となり設備費を低減できると共に遊技板の裏面拡大を図ることができる。また、保持孔を２以上の異なる円周上に形成したことにより、賞品球の奇数個の排出が可能であるし、迅速に払出を行うことができて遊技者に違和感を与えることはなくなる。
又、請求項２の発明によると、回転体を交互に正回転及び逆回転して賞品球払出装置内の賞品球に揺動を与えることができるので、ブリッジ形成を崩すことができるし、請求項３の発明によると、回転体を逆回転して賞品球タンク内の賞品球を球抜口から簡便に回収することができる。
【図面の簡単な説明】
【図１】パチンコ機の正面を示す図である。
【図２】パチンコ機の裏面を示す図である。
【図３】賞品球払出装置の分解斜視図である。
【図４】賞品球払出装置の正面断面図である。
【図５】賞品球払出装置の平面図である。
【図６】賞品球払出装置の背面図である。
【図７】他の払出禁止部材及び球抜禁止部材を示す図である。
【図８】他の払出禁止部材及び球抜禁止部材を示す図である。
【図９】賞品球払出装置の平面図である。
【図１０】賞品球払出装置の背面図である。
【符号の説明】
１  賞品球払出装置
１０  底板
１２  払出口
１２ａ  外側払出口
１２ｂ  内側払出口
１５  球抜口
２１  球入口部
２２  区切枠
２３’  払出遮断部材
２３    払出禁止部材
２４    球抜禁止部材
３０  回転体
３２  パルスモータ
３５  保持孔
３５ａ  外側保持孔
３５ｂ  内側保持孔
１２０  賞品球タンク
１２１  傾斜板
１３１  排出通路
１６０  回収通路
【図１】
0003879127.tif 000002
【図２】
0003879127.tif 000003
【図３】
0003879127.tif 000004
【図４】
0003879127.tif 000005
【図５】
0003879127.tif 000006
【図６】
0003879127.tif 000007
【図７】
0003879127.tif 000008
【図８】
0003879127.tif 000009
【図９】
0003879127.tif 000010
【図１０】
0003879127.tif 000011